(57)【特許請求の範囲】
【請求項１】
直列接続された２つの第１の二次電池から構成される第１の二次電池群と、
前記第１の二次電池群の２つの第１の二次電池に対応するように設けられた第２の二次電池と、
一端が前記第２の二次電池の正極に接続された容量素子と、
一端が前記容量素子の前記一端に接続され、かつ、他端が前記第１の二次電池群の正極側に接続されると共に、前記容量素子の一端から前記第１の二次電池群の正極側方向への電流の流れを許容し、該正極側方向と反対方向への電流の流れを阻止する第１の整流素子と、
一端が前記２つの第１の二次電池の接続部に接続され、かつ、他端が前記第２の二次電池の負極に接続されると共に、前記第２の二次電池の負極から前記接続部方向への電流の流れを許容し、該接続部方向と反対方向への電流の流れを阻止する第２の整流素子と、
一端が前記２つの第１の二次電池の接続部に接続され、かつ、他端が前記第２の二次電池の正極に接続されると共に、前記接続部から前記第２の二次電池の正極方向への電流の流れを許容し、該正極方向と反対方向への電流の流れを阻止する第３の整流素子と、
一端が前記第１の二次電池群の正極側に接続され、かつ、他端が前記容量素子の他端に接続されると共に、前記容量素子を充電するように電力を供給し、前記容量素子が充電されて所定の充電電圧になったときに、前記第１の二次電池群の正極側に設けられた前記第１の二次電池を充電するように切り替えられて電力を供給し、前記第１の二次電池群の正極側に設けられた前記第１の二次電池が充電されて前記所定の充電電圧になったときに、前記容量素子を充電するように切り替えられて電力を供給する電源手段と、
を含む電池充電回路。
【請求項２】
直列接続された複数の第１の二次電池から構成される第１の二次電池群と、
前記第１の二次電池群の隣接する２つの第１の二次電池に対応するように設けられた複数の第２の二次電池を直列接続した第２の二次電池群と、
一端が前記第２の二次電池群の正極側に接続された容量素子と、
一端が前記容量素子の前記一端に接続され、かつ、他端が前記第１の二次電池群の正極側に接続されると共に、前記容量素子の前記一端から前記第１の二次電池群の正極側方向への電流の流れを許容し、該正極側方向と反対方向への電流の流れを阻止する第１の整流素子と、
一端が前記第１の二次電池群の隣接する２つの第１の二次電池の接続部に接続され、かつ、他端が前記隣接する２つの第１の二次電池に対応する前記第２の二次電池の負極に接続されると共に、前記第２の二次電池の負極から前記隣接する２つの第１の二次電池の接続部方向への電流の流れを許容し、該接続部方向と反対方向への電流の流れを阻止する複数の第２の整流素子と、
一端が前記第１の二次電池群の隣接する２つの第１の二次電池の接続部に接続され、かつ、他端が前記隣接する２つの第１の二次電池に対応する前記第２の二次電池の正極に接続されると共に、前記隣接する２つの第１の二次電池の接続部から前記第２の二次電池の正極方向への電流の流れを許容し、該正極方向と反対方向への電流の流れを阻止する複数の第３の整流素子と、
一端が前記第１の二次電池群の正極側に接続され、かつ、他端が前記容量素子の他端に接続されると共に、前記容量素子を充電するように電力を供給し、前記容量素子が充電されて所定の充電電圧になったときに、前記第１の二次電池群の正極側に設けられた前記第１の二次電池を充電するように切り替えられて電力を供給し、前記第１の二次電池群の正極側に設けられた前記第１の二次電池が充電されて前記所定の充電電圧になったときに、前記容量素子を充電するように切り替えられて電力を供給する電源手段と、
を含む電池充電回路。
【請求項３】
前記電源手段は、前記容量素子を充電するように前記容量素子の前記他端方向へ所定電流の電力を供給し、前記容量素子が充電されて所定の充電電圧になったときに、前記第１の二次電池群の正極側に設けられた前記第１の二次電池を充電するように該正極側方向に切り替えられて前記所定電流の電力を供給し、前記第１の二次電池群の正極側に設けられた前記第１の二次電池が充電されて前記所定の充電電圧になったときに、前記容量素子の前記他端方向に切り替えられて前記所定電流の電力を供給する請求項１又は２記載の電池充電回路。
【請求項４】
前記電源手段は、前記容量素子を充電するように所定電圧の電力を供給し、前記容量素子が充電されて所定の充電電圧になったときに、前記第１の二次電池群の正極側に設けられた前記第１の二次電池を充電するように切り替えられて前記所定電圧の電力を供給し、前記第１の二次電池群の正極側に設けられた前記第１の二次電池が充電されて前記所定の充電電圧になったときに、前記容量素子を充電するように切り替えられて前記所定電圧の電力を供給する請求項１又は２記載の電池充電回路。
【請求項５】
直列接続された複数の第１の二次電池から構成される第１の二次電池群と、
前記第１の二次電池群の隣接する２つの第１の二次電池に対応するように設けられた複数の第２の二次電池を直列接続した第２の二次電池群と、
一端が前記第２の二次電池群の正極側に接続された容量素子と、
一端が前記容量素子の前記一端に接続され、かつ、他端が前記第１の二次電池群の正極側に接続されると共に、前記容量素子の前記一端から前記第１の二次電池群の正極側方向への電流の流れを許容し、該正極側方向と反対方向への電流の流れを阻止する第１の整流素子と、
一端が前記第１の二次電池群の隣接する２つの第１の二次電池の接続部に接続され、かつ、他端が前記隣接する２つの第１の二次電池に対応する前記第２の二次電池の負極に接続されると共に、前記第２の二次電池の負極から前記隣接する２つの第１の二次電池の接続部方向への電流の流れを許容し、該接続部方向と反対方向への電流の流れを阻止する複数の第２の整流素子と、
一端が前記第１の二次電池群の隣接する２つの第１の二次電池の接続部に接続され、かつ、他端が前記隣接する２つの第１の二次電池に対応する前記第２の二次電池の正極に接続されると共に、前記隣接する２つの第１の二次電池の接続部から前記第２の二次電池の正極方向への電流の流れを許容し、該正極方向と反対方向への電流の流れを阻止する複数の第３の整流素子と、
一端が前記第１の二次電池群の正極側に接続され、かつ、他端が前記容量素子の他端に接続されると共に、前記容量素子を充電するように電力を供給し、前記容量素子が充電されて所定の充電電圧になったときに、前記電力の供給を停止すると共に、前記第１の二次電池群の正極側に設けられた前記第１の二次電池と前記容量素子とを通電し、前記第１の二次電池群の正極側に設けられた前記第１の二次電池が充電されて前記所定の充電電圧になったときに、前記容量素子を充電するように切り替えられて電力を供給する電源手段と、
を含む電池充電回路。
【請求項６】
前記第１の二次電池及び前記第２の二次電池は、略同一の容量である請求項１〜請求項５の何れか１項記載の電池充電回路。
【請求項７】
直列接続された複数の第１の二次電池から構成される複数の第１の二次電池部を直列接続した第１の二次電池群と、
前記第１の二次電池群の隣接する２つの第１の二次電池部に対応するように設けられ、かつ、前記第１の二次電池部と同数の第２の二次電池から構成される複数の第２の二次電池部を直列接続した第２の二次電池群と、
負極が前記第２の二次電池群の正極側に接続された第３の二次電池と、
一端が前記第３の二次電池の負極に接続され、かつ、他端が前記第１の二次電池群の正極側に接続されると共に、前記第３の二次電池の負極から前記第１の二次電池群の正極側方向への電流の流れを許容し、該正極側方向と反対方向への電流の流れを阻止する第１の整流素子と、
一端が前記第１の二次電池群の隣接する２つの第１の二次電池部の接続部に接続され、かつ、他端が前記隣接する２つの第１の二次電池部に対応する前記第２の二次電池部の負極側に接続されると共に、前記第２の二次電池部の負極側から前記隣接する２つの第１の二次電池部の接続部方向への電流の流れを許容し、該接続部方向と反対方向への電流の流れを阻止する複数の第２の整流素子と、
一端が前記第１の二次電池群の隣接する２つの第１の二次電池部の接続部に接続され、かつ、他端が前記隣接する２つの第１の二次電池部に対応する前記第２の二次電池部の正極側に接続されると共に、前記隣接する２つの第１の二次電池部の接続部から前記第２の二次電池部の正極側方向への電流の流れを許容し、該正極側方向と反対方向への電流の流れを阻止する複数の第３の整流素子と、
一端が前記第１の二次電池群の正極側に接続され、かつ、他端が前記第３の二次電池の正極に接続されると共に、前記第３の二次電池を充電するように電力を供給し、前記第３の二次電池が充電されて所定の充電電圧になったときに、前記第１の二次電池群の正極側に設けられた前記第１の二次電池を充電するように切り替えられて電力を供給し、前記第１の二次電池群の正極側に設けられた前記第１の二次電池が充電されて前記所定の充電電圧になったときに、前記第３の二次電池を充電するように切り替えられて電力を供給する電源手段と、
を含む電池充電回路。
【請求項８】
前記第１の二次電池乃至前記第３の二次電池は、略同一の容量である請求項７記載の電池充電回路。
【請求項９】
前記第１の整流素子乃至前記第３の整流素子は、ダイオードである請求項１〜請求項８の何れか１項記載の電池充電回路。
【請求項１０】
直列接続された複数の第１の二次電池から構成される第１の二次電池群と、
前記第１の二次電池群の隣接する２つの第１の二次電池に対応するように設けられた複数の第２の二次電池を直列接続した第２の二次電池群と、
前記第１の二次電池群の隣接する２つの第１の二次電池に対応するように設けられた複数の第３の二次電池を直列接続した第３の二次電池群と、
一端が前記第２の二次電池群の正極側に接続された第１の容量素子と、
一端が前記第３の二次電池群の正極側に接続された第２の容量素子と、
一端が前記第１の容量素子の前記一端に接続され、かつ、他端が前記第１の二次電池群の正極側に接続されると共に、前記第１の容量素子の前記一端から前記第１の二次電池群の正極側方向への電流の流れを許容し、該正極側方向と反対方向への電流の流れを阻止する第１の整流素子と、
一端が前記第１の二次電池群の隣接する２つの第１の二次電池の接続部に接続され、かつ、他端が前記隣接する２つの第１の二次電池に対応する前記第２の二次電池の負極に接続されると共に、前記第２の二次電池の負極から前記隣接する２つの第１の二次電池の接続部方向への電流の流れを許容し、該接続部方向と反対方向への電流の流れを阻止する複数の第２の整流素子と、
一端が前記第１の二次電池群の隣接する２つの第１の二次電池の接続部に接続され、かつ、他端が前記隣接する２つの第１の二次電池に対応する前記第２の二次電池の正極に接続されると共に、前記隣接する２つの第１の二次電池の接続部から前記第２の二次電池の正極方向への電流の流れを許容し、該正極方向と反対方向への電流の流れを阻止する複数の第３の整流素子と、
一端が前記第２の容量素子の前記一端に接続され、かつ、他端が前記第１の二次電池群の正極側に接続されると共に、前記第２の容量素子の前記一端から前記第１の二次電池群の正極側方向への電流の流れを許容し、該正極側方向と反対方向への電流の流れを阻止する第４の整流素子と、
一端が前記第１の二次電池群の隣接する２つの第１の二次電池の接続部に接続され、かつ、他端が前記隣接する２つの第１の二次電池に対応する前記第３の二次電池の負極に接続されると共に、前記第３の二次電池の負極から前記隣接する２つの第１の二次電池の接続部方向への電流の流れを許容し、該接続部方向と反対方向への電流の流れを阻止する複数の第５の整流素子と、
一端が前記第１の二次電池群の隣接する２つの第１の二次電池の接続部に接続され、かつ、他端が前記隣接する２つの第１の二次電池に対応する前記第３の二次電池の正極に接続されると共に、前記隣接する２つの第１の二次電池の接続部から前記第３の二次電池の正極方向への電流の流れを許容し、該正極方向と反対方向への電流の流れを阻止する複数の第６の整流素子と、
一端が前記第１の二次電池群の正極側及び前記第２の容量素子の他端に接続され、かつ、他端が前記第１の容量素子の他端に接続されると共に、前記第１の容量素子を充電するように電力を供給し、前記容量素子が充電されて所定の充電電圧になったときに、前記第１の二次電池群の正極側に設けられた前記第１の二次電池及び前記第２の容量素子を充電するように切り替えられて電力を供給し、前記第１の二次電池群の正極側に設けられた前記第１の二次電池が充電されて前記所定の充電電圧になったときに、前記第１の容量素子を充電するように切り替えられて電力を供給する電源手段と、
を含む電池充電回路。
【請求項１１】
前記第１の整流素子乃至前記第６の整流素子は、ダイオードである請求項１０項記載の電池充電回路。
【請求項１２】
前記第１の二次電池乃至前記第３の二次電池は、略同一の容量である請求項１０又は１１記載の電池充電回路。
【請求項１３】
請求項１〜請求項１２の何れか１項記載の電池充電回路と、
前記電池充電回路の前記第１の二次電池群に接続され、かつ、前記第１の二次電池群から電力が供給される負荷部と、
を含む電気装置。
【発明の詳細な説明】
【技術分野】
【０００１】
本発明は、電池充電回路及び電気装置に係り、特に、直列で接続された二次電池を充電する電池充電回路及び該電池充電回路を用いた電気装置に関する。
【背景技術】
【０００２】
従来より、車両駆動用モータの他に、エンジン駆動される発電機を搭載したハイブリッド車が知られており、ハイブリッド車には、複数の二次電池が直列に接続された電池充電回路が搭載されている。電池充電回路では、直列接続された二次電池から出力される電力により駆動用モータを駆動すると共に、発電機からの電力が直列接続された二次電池に充電される。
【０００３】
近年、このような直列接続された二次電池に対して、新たな用途に適合する様に二次電池の特性改善や新型電池の開発検討が進められている。開発した二次電池が本来の性能を発揮するためには、使用環境条件、充電条件、及び放電条件などが適正となるように制御する必要がある。
【０００４】
特に、充電条件については、放電後の電池にダメージを与えずに、元の容量まで如何に回復させるかが課題となっている。
【０００５】
このため、充電完了時の検出方法、過充電時の対策などを含め、電池の種類及び用途別にそれぞれ適した充電方法が検討されている。
【０００６】
ここで、電池を直列接続して放電又は充電を行う場合、全ての電池の容量或いは内部抵抗が常に同じであれば、バランス良く放電及び充電をすることができる。
【０００７】
しかしながら、実際には、電池の容量あるいは内部抵抗には若干のバラツキが発生する。さらに、初期において同じ内部抵抗であったとしてもトリクル充電又はフロート充電により、時間経過に伴って電池の内部抵抗が変化し、電池の容量も変化する。その結果、各電池のバランスが崩れ、セル電圧にバラツキが生じ、電池の寿命を短命化させたり、性能を低下させることになる。
【０００８】
電池のバランスを保つ為に、並列に接続された直列接続電池ブロックに対して、１つの直列接続電池ブロックの充電の後に、別の直列接続電池ブロックを充電する充電制御を行うべく、それぞれの直列接続電池ブロックに直列に充電スイッチを接続し、充電制御手段によって充電スイッチをオンオフ制御する機能と、それぞれの直列電池ブロックの充電完了信号を放電制御手段に出力する構成をしたバックアップ電池の充放電制御装置が知られている（特許文献１）。
【０００９】
また、複数の電池セルが直列に接続されて構成されている組電池と、電池セル毎に並列に接続され、電池セルのセル電圧を測定し、またバイパス状態において、この電池セルに充電電流を流さずバイパスさせる電圧調整回路と、組電池に流れる電流を測定する電流センサと、各電池セルのセル電圧の加算値が所定の電圧値となり、かつ、電流センサによって測定された電流が所定の電流値となったことを検出すると、所定の電池セルに対応した電圧調整回路をバイパス状態とし、この電池セルに充電電流が流れないように制御する制御部とを有する電池充電装置が知られている（特許文献２）。
【特許文献１】特開２００４−３６４４４６
【特許文献２】特開２００５−２０８６６
【発明の開示】
【発明が解決しようとする課題】
【００１０】
しかしながら、特許文献１及び２記載の発明では、装置の部品点数が多く、電池充電回路が複雑化するという問題があった。
【００１１】
本発明は、上記の問題点を解決するためになされたもので、簡易な回路で構成され、かつ、直列接続された二次電池をばらつきなく充電し、電池寿命及び性能を向上させることができる電池充電回路及び電気装置を提供することを目的とする。
【課題を解決するための手段】
【００１２】
上記の目的を達成するために第１の発明に係る電池充電回路は、直列接続された２つの第１の二次電池から構成される第１の二次電池群と、前記第１の二次電池群の２つの第１の二次電池に対応するように設けられた第２の二次電池と、一端が前記第２の二次電池の正極に接続された容量素子と、一端が前記容量素子の前記一端に接続され、かつ、他端が前記第１の二次電池群の正極側に接続されると共に、前記容量素子の一端から前記第１の二次電池群の正極側方向への電流の流れを許容し、該正極側方向と反対方向への電流の流れを阻止する第１の整流素子と、一端が前記２つの第１の二次電池の接続部に接続され、かつ、他端が前記第２の二次電池の負極に接続されると共に、前記第２の二次電池の負極から前記接続部方向への電流の流れを許容し、該接続部方向と反対方向への電流の流れを阻止する第２の整流素子と、一端が前記２つの第１の二次電池の接続部に接続され、かつ、他端が前記第２の二次電池の正極に接続されると共に、前記接続部から前記第２の二次電池の正極方向への電流の流れを許容し、該正極方向と反対方向への電流の流れを阻止する第３の整流素子と、一端が前記第１の二次電池群の正極側に接続され、かつ、他端が前記容量素子の他端に接続されると共に、前記容量素子を充電するように電力を供給し、前記容量素子が充電されて所定の充電電圧になったときに、前記第１の二次電池群の正極側に設けられた前記第１の二次電池を充電するように切り替えられて電力を供給し、前記第１の二次電池群の正極側に設けられた前記第１の二次電池が充電されて前記所定の充電電圧になったときに、前記容量素子を充電するように切り替えられて電力を供給する電源手段とを含んで構成されている。
【００１３】
第１の発明に係る電池充電回路によれば、電源手段によって、容量素子を充電するように電力を供給し、容量素子が充電されて所定の充電電圧になったときに、第１の二次電池群の正極側に設けられた第１の二次電池を充電するように切り替えられて電力を供給する。また、このときに、充電された容量素子が放電し、第１の二次電池群の正極側に設けられた第１の二次電池がさらに充電される。
【００１４】
そして、第１の二次電池群の正極側に設けられた第１の二次電池が充電されて所定の充電電圧になったときに、電源手段によって、容量素子を充電するように切り替えられて電力を供給する。このとき、第１の二次電池群の正極側に設けられた第１の二次電池が放電し、第２の二次電池が充電される。そして、第２の二次電池が充電され、充電電圧が高くなると、第２の二次電池が放電し、第１の二次電池群の負極側に設けられた第１の二次電池が充電される。
【００１５】
そして、上記のように、電源手段によって、第１の二次電池群の正極側に設けられた第１の二次電池及び容量素子の何れかを充電するように切り替えながら電力を供給することにより、容量素子、２つの第１の二次電池、及び第２の二次電池の各々が充放電を繰り返し、各々の充電電圧が収束していき、満充電状態になる。
【００１６】
従って、複数の二次電池、容量素子、整流素子、及び電源手段からなる簡易な回路で構成され、かつ、電源手段によって、第１の二次電池群の正極側に設けられた第１の二次電池及び容量素子の何れかを充電するように切り替えながら電力を供給し、容量素子、２つの第１の二次電池、及び第２の二次電池の各々が充放電を繰り返すことにより、直列接続された二次電池がばらつきなく充電され、電池寿命及び性能を向上させることができる。
【００１７】
また、第２の発明に係る電池充電回路は、直列接続された複数の第１の二次電池から構成される第１の二次電池群と、前記第１の二次電池群の隣接する２つの第１の二次電池に対応するように設けられた複数の第２の二次電池を直列接続した第２の二次電池群と、一端が前記第２の二次電池群の正極側に接続された容量素子と、一端が前記容量素子の前記一端に接続され、かつ、他端が前記第１の二次電池群の正極側に接続されると共に、前記容量素子の前記一端から前記第１の二次電池群の正極側方向への電流の流れを許容し、該正極側方向と反対方向への電流の流れを阻止する第１の整流素子と、一端が前記第１の二次電池群の隣接する２つの第１の二次電池の接続部に接続され、かつ、他端が前記隣接する２つの第１の二次電池に対応する前記第２の二次電池の負極に接続されると共に、前記第２の二次電池の負極から前記隣接する２つの第１の二次電池の接続部方向への電流の流れを許容し、該接続部方向と反対方向への電流の流れを阻止する複数の第２の整流素子と、一端が前記第１の二次電池群の隣接する２つの第１の二次電池の接続部に接続され、かつ、他端が前記隣接する２つの第１の二次電池に対応する前記第２の二次電池の正極に接続されると共に、前記隣接する２つの第１の二次電池の接続部から前記第２の二次電池の正極方向への電流の流れを許容し、該正極方向と反対方向への電流の流れを阻止する複数の第３の整流素子と、一端が前記第１の二次電池群の正極側に接続され、かつ、他端が前記容量素子の他端に接続されると共に、前記容量素子を充電するように電力を供給し、前記容量素子が充電されて所定の充電電圧になったときに、前記第１の二次電池群の正極側に設けられた前記第１の二次電池を充電するように切り替えられて電力を供給し、前記第１の二次電池群の正極側に設けられた前記第１の二次電池が充電されて前記所定の充電電圧になったときに、前記容量素子を充電するように切り替えられて電力を供給する電源手段とを含んで構成されている。
【００１８】
第２の発明の電池充電回路によれば、電源手段によって、容量素子を充電するように電力を供給し、容量素子が充電されて所定の充電電圧になったときに、第１の二次電池群の正極側に設けられた第１の二次電池を充電するように切り替えられて電力を供給する。このときに、充電された容量素子が放電し、第１の二次電池群の正極側に設けられた第１の二次電池がさらに充電される。
【００１９】
そして、第１の二次電池群の正極側に設けられた第１の二次電池が充電されて所定の充電電圧になったときに、電源手段によって、容量素子を充電するように切り替えられて電力を供給する。このとき、第１の二次電池群の正極側に設けられた第１の二次電池が放電し、第１の二次電池群の正極側に設けられた隣接する２つの第１の二次電池に対応する第２の二次電池が充電される。そして、この第２の二次電池が充電され、充電電圧が高くなると、この第２の二次電池が放電し、上記の隣接する第１の二次電池の負極側に設けられた第１の二次電池が充電される。
【００２０】
同様に、第１の二次電池群の複数の第１の二次電池の各々及び第２の二次電池群の複数の第２の二次電池の各々が、充電及び放電する。
【００２１】
そして、上記のように、電源手段によって、第１の二次電池群の正極側に設けられた第１の二次電池及び容量素子の何れかを充電するように切り替えながら電力を供給し、容量素子、直列接続された複数の第１の二次電池、及び直列接続された複数の第２の二次電池の各々が充放電を繰り返し、各々の充電電圧が収束していき、満充電状態になる。
【００２２】
従って、複数の二次電池、容量素子、整流素子、及び電源手段からなる簡易な回路で構成され、かつ、電源手段によって、第１の二次電池群の正極側に設けられた第１の二次電池及び容量素子の何れかを充電するように切り替えながら電力を供給し、容量素子、直列接続された複数の第１の二次電池、及び直列接続された複数の第２の二次電池の各々が充放電を繰り返すことにより、直列接続された二次電池がばらつきなく充電され、電池寿命及び性能を向上させることができる。
【００２３】
また、第１の発明及び第２の発明に係る電源手段は、容量素子を充電するように容量素子の他端方向へ所定電流の電力を供給し、容量素子が充電されて所定の充電電圧になったときに、第１の二次電池群の正極側に設けられた第１の二次電池を充電するように第１の二次電池群の正極側方向に切り替えられて所定電流の電力を供給し、第１の二次電池群の正極側に設けられた第１の二次電池が充電されて所定の充電電圧になったときに、容量素子の他端方向に切り替えられて所定電流の電力を供給することができる。これにより、定電流の電力を、電流方向を切り替えながら供給して、直列接続された二次電池をばらつきなく充電することができる
また、第１の発明及び第２の発明に係る電源手段は、容量素子を充電するように所定電圧の電力を供給し、容量素子が充電されて所定の充電電圧になったときに、第１の二次電池群の正極側に設けられた第１の二次電池を充電するように所定電圧の電力を供給し、第１の二次電池群の正極側に設けられた第１の二次電池が充電されて所定の充電電圧になったときに、容量素子を充電するように切り替えられて所定電圧の電力を供給することができる。これにより、定電圧の電力を、充電先を切り替えながら供給して、直列接続された二次電池をばらつきなく充電することができる。
【００２４】
また、第３の発明に係る電池充電回路は、直列接続された複数の第１の二次電池から構成される第１の二次電池群と、前記第１の二次電池群の隣接する２つの第１の二次電池に対応するように設けられた複数の第２の二次電池を直列接続した第２の二次電池群と、一端が前記第２の二次電池群の正極側に接続された容量素子と、一端が前記容量素子の前記一端に接続され、かつ、他端が前記第１の二次電池群の正極側に接続されると共に、前記容量素子の前記一端から前記第１の二次電池群の正極側方向への電流の流れを許容し、該正極側方向と反対方向への電流の流れを阻止する第１の整流素子と、一端が前記第１の二次電池群の隣接する２つの第１の二次電池の接続部に接続され、かつ、他端が前記隣接する２つの第１の二次電池に対応する前記第２の二次電池の負極に接続されると共に、前記第２の二次電池の負極から前記隣接する２つの第１の二次電池の接続部方向への電流の流れを許容し、該接続部方向と反対方向への電流の流れを阻止する複数の第２の整流素子と、一端が前記第１の二次電池群の隣接する２つの第１の二次電池の接続部に接続され、かつ、他端が前記隣接する２つの第１の二次電池に対応する前記第２の二次電池の正極に接続されると共に、前記隣接する２つの第１の二次電池の接続部から前記第２の二次電池の正極方向への電流の流れを許容し、該正極方向と反対方向への電流の流れを阻止する複数の第３の整流素子と、一端が前記第１の二次電池群の正極側に接続され、かつ、他端が前記容量素子の他端に接続されると共に、前記容量素子を充電するように電力を供給し、前記容量素子が充電されて所定の充電電圧になったときに、前記電力の供給を停止すると共に、前記第１の二次電池群の正極側に設けられた前記第１の二次電池と前記容量素子とを通電し、前記第１の二次電池群の正極側に設けられた前記第１の二次電池が充電されて前記所定の充電電圧になったときに、前記容量素子を充電するように切り替えられて電力を供給する電源手段とを含んで構成されている。
【００２５】
第３の発明の電池充電回路によれば、電源手段によって、容量素子を充電するように電力を供給し、容量素子が充電されて所定の充電電圧になったときに、電力の供給を停止すると共に、第１の二次電池群の正極側に設けられた第１の二次電池と容量素子とを通電する。これにより、充電された容量素子が放電し、第１の二次電池群の正極側に設けられた第１の二次電池が充電される。
【００２６】
そして、第１の二次電池群の正極側に設けられた第１の二次電池が充電されて所定の充電電圧になったときに、電源手段によって、容量素子を充電するように切り替えられて電力を供給する。このとき、第１の二次電池群の正極側に設けられた第１の二次電池が放電し、第１の二次電池群の正極側に設けられた隣接する２つの第１の二次電池に対応する第２の二次電池が充電される。そして、この第２の二次電池が充電され、充電電圧が高くなると、この第２の二次電池が放電し、上記の隣接する第１の二次電池の負極側に設けられた第１の二次電池が充電される。
【００２７】
同様に、第１の二次電池群の複数の第１の二次電池の各々及び第２の二次電池群の複数の第２の二次電池の各々が、充電及び放電する。
【００２８】
そして、上記のように、電源手段によって、第１の二次電池群の正極側に設けられた第１の二次電池及び容量素子の何れかを切り替えて充電するように、電力の供給をオンオフすることにより、容量素子、直列接続された複数の第１の二次電池、及び直列接続された複数の第２の二次電池の各々が充放電を繰り返し、各々の充電電圧が収束していき、満充電状態になる。
【００２９】
従って、複数の二次電池、容量素子、整流素子、及び電源手段からなる簡易な回路で構成され、かつ、第１の二次電池群の正極側に設けられた第１の二次電池及び容量素子の何れかを切り替えて充電するように、電源手段によって電力の供給をオンオフし、容量素子、直列接続された複数の第１の二次電池、及び直列接続された複数の第２の二次電池の各々が充放電を繰り返すことにより、直列接続された二次電池がばらつきなく充電され、電池寿命及び性能を向上させることができる。
【００３０】
また、上記の第１の二次電池及び第２の二次電池は、略同一の容量とすることできる。これにより、回路の部品の種類数の増加を抑制できるため、回路の構成を簡易にすることができる。
【００３１】
第４の発明に係る電池充電回路は、直列接続された複数の第１の二次電池から構成される複数の第１の二次電池部を直列接続した第１の二次電池群と、前記第１の二次電池群の隣接する２つの第１の二次電池部に対応するように設けられ、かつ、前記第１の二次電池部と同数の第２の二次電池から構成される複数の第２の二次電池部を直列接続した第２の二次電池群と、負極が前記第２の二次電池群の正極側に接続された第３の二次電池と、一端が前記第３の二次電池の負極に接続され、かつ、他端が前記第１の二次電池群の正極側に接続されると共に、前記第３の二次電池の負極から前記第１の二次電池群の正極側方向への電流の流れを許容し、該正極側方向と反対方向への電流の流れを阻止する第１の整流素子と、一端が前記第１の二次電池群の隣接する２つの第１の二次電池部の接続部に接続され、かつ、他端が前記隣接する２つの第１の二次電池部に対応する前記第２の二次電池部の負極側に接続されると共に、前記第２の二次電池部の負極側から前記隣接する２つの第１の二次電池部の接続部方向への電流の流れを許容し、該接続部方向と反対方向への電流の流れを阻止する複数の第２の整流素子と、一端が前記第１の二次電池群の隣接する２つの第１の二次電池部の接続部に接続され、かつ、他端が前記隣接する２つの第１の二次電池部に対応する前記第２の二次電池部の正極側に接続されると共に、前記隣接する２つの第１の二次電池部の接続部から前記第２の二次電池部の正極側方向への電流の流れを許容し、該正極側方向と反対方向への電流の流れを阻止する複数の第３の整流素子と、一端が前記第１の二次電池群の正極側に接続され、かつ、他端が前記第３の二次電池の正極に接続されると共に、前記第３の二次電池を充電するように電力を供給し、前記第３の二次電池が充電されて所定の充電電圧になったときに、前記第１の二次電池群の正極側に設けられた前記第１の二次電池を充電するように切り替えられて電力を供給し、前記第１の二次電池群の正極側に設けられた前記第１の二次電池が充電されて前記所定の充電電圧になったときに、前記第３の二次電池を充電するように切り替えられて電力を供給する電源手段とを含んで構成されている。
【００３２】
第４の発明に係る電池充電回路によれば、電源手段によって、第３の二次電池を充電するように電力を供給し、第３の二次電池が充電されて所定の充電電圧になったときに、第１の二次電池群の正極側に設けられた第１の二次電池を充電するように切り替えられて電力を供給する。同時に、充電された第３の二次電池が放電し、第１の二次電池群の正極側に設けられた第１の二次電池部の複数の第１の二次電池がさらに充電される。
【００３３】
そして、第１の二次電池群の正極側に設けられた第１の二次電池が充電されて所定の充電電圧になったときに、電源手段によって、第３の二次電池を充電するように切り替えられて電力を供給する。このとき、第１の二次電池群の正極側に設けられた第１の二次電池部の第１の二次電池が放電し、第１の二次電池群の正極側に設けられた隣接する２つの第１の二次電池部に対応する第２の二次電池部の複数の第２の二次電池が充電される。そして、この第２の二次電池部の二次電池が充電され、充電電圧が高くなると、この第２の二次電池部の第２の二次電池が放電し、上記の隣接する第１の二次電池部の負極側に設けられた第１の二次電池部の第１の二次電池が充電される。
【００３４】
同様に、第１の二次電池群の複数の第１の二次電池部の第１の二次電池の各々及び第２の二次電池群の複数の第２の二次電池部の第２の二次電池の各々が、充電及び放電する。
【００３５】
そして、上記のように、電源手段によって、第１の二次電池群の正極側に設けられた第１の二次電池及び第３の二次電池の何れかを充電するように切り替えながら電力を供給することにより、第３の二次電池、直列接続された複数の第１の二次電池部の各々の第１の二次電池、及び直列接続された複数の第２の二次電池部の各々の第２の二次電池が充放電を繰り返し、各々の充電電圧が収束していき、満充電状態になる。
【００３６】
従って、複数の二次電池、整流素子、及び電源手段からなる簡易な回路で構成され、かつ、電源手段によって、第１の二次電池群の正極側に設けられた第１の二次電池及び第３の二次電池の何れかを充電するように切り替えながら電力を供給し、第３の二次電池、直列接続された複数の第１の二次電池部の各々の第１の二次電池、及び直列接続された複数の第２の二次電池部の各々の第２の二次電池が充放電を繰り返すことにより、直列接続された二次電池がばらつきなく充電され、電池寿命及び性能を向上させることができる。
【００３７】
また、第４の発明に係る第１の二次電池乃至第３の二次電池を、略同一の容量とすることができる。これにより、回路の部品の種類数の増加を抑制できるため、回路の構成を簡易にすることができる。
【００３８】
また、上記の第１の整流素子乃至第３の整流素子を、ダイオードとすることができる。これにより、回路の構成をより簡易なものにすることができる。
【００３９】
また、第５の発明に係る電池充電回路は、直列接続された複数の第１の二次電池から構成される第１の二次電池群と、前記第１の二次電池群の隣接する２つの第１の二次電池に対応するように設けられた複数の第２の二次電池を直列接続した第２の二次電池群と、前記第１の二次電池群の隣接する２つの第１の二次電池に対応するように設けられた複数の第３の二次電池を直列接続した第３の二次電池群と、一端が前記第２の二次電池群の正極側に接続された第１の容量素子と、一端が前記第３の二次電池群の正極側に接続された第２の容量素子と、一端が前記第１の容量素子の前記一端に接続され、かつ、他端が前記第１の二次電池群の正極側に接続されると共に、前記第１の容量素子の前記一端から前記第１の二次電池群の正極側方向への電流の流れを許容し、該正極側方向と反対方向への電流の流れを阻止する第１の整流素子と、一端が前記第１の二次電池群の隣接する２つの第１の二次電池の接続部に接続され、かつ、他端が前記隣接する２つの第１の二次電池に対応する前記第２の二次電池の負極に接続されると共に、前記第２の二次電池の負極から前記隣接する２つの第１の二次電池の接続部方向への電流の流れを許容し、該接続部方向と反対方向への電流の流れを阻止する複数の第２の整流素子と、一端が前記第１の二次電池群の隣接する２つの第１の二次電池の接続部に接続され、かつ、他端が前記隣接する２つの第１の二次電池に対応する前記第２の二次電池の正極に接続されると共に、前記隣接する２つの第１の二次電池の接続部から前記第２の二次電池の正極方向への電流の流れを許容し、該正極方向と反対方向への電流の流れを阻止する複数の第３の整流素子と、一端が前記第２の容量素子の前記一端に接続され、かつ、他端が前記第１の二次電池群の正極側に接続されると共に、前記第２の容量素子の前記一端から前記第１の二次電池群の正極側方向への電流の流れを許容し、該正極側方向と反対方向への電流の流れを阻止する第４の整流素子と、一端が前記第１の二次電池群の隣接する２つの第１の二次電池の接続部に接続され、かつ、他端が前記隣接する２つの第１の二次電池に対応する前記第３の二次電池の負極に接続されると共に、前記第３の二次電池の負極から前記隣接する２つの第１の二次電池の接続部方向への電流の流れを許容し、該接続部方向と反対方向への電流の流れを阻止する複数の第５の整流素子と、一端が前記第１の二次電池群の隣接する２つの第１の二次電池の接続部に接続され、かつ、他端が前記隣接する２つの第１の二次電池に対応する前記第３の二次電池の正極に接続されると共に、前記隣接する２つの第１の二次電池の接続部から前記第３の二次電池の正極方向への電流の流れを許容し、該正極方向と反対方向への電流の流れを阻止する複数の第６の整流素子と、一端が前記第１の二次電池群の正極側及び前記第２の容量素子の他端に接続され、かつ、他端が前記第１の容量素子の他端に接続されると共に、前記第１の容量素子を充電するように電力を供給し、前記容量素子が充電されて所定の充電電圧になったときに、前記第１の二次電池群の正極側に設けられた前記第１の二次電池及び前記第２の容量素子を充電するように切り替えられて電力を供給し、前記第１の二次電池群の正極側に設けられた前記第１の二次電池が充電されて前記所定の充電電圧になったときに、前記第１の容量素子を充電するように切り替えられて電力を供給する電源手段とを含んで構成されている。
【００４０】
第５の発明の電池充電回路によれば、電源手段によって、第１の容量素子を充電するように電力を供給し、第１の容量素子が充電されて所定の充電電圧になったときに、第１の二次電池群の正極側に設けられた第１の二次電池及び第２の容量素子を充電するように切り替えられて電力を供給する。同時に、充電された第１の容量素子が放電し、第１の二次電池群の正極側に設けられた第１の二次電池及び第２の容量素子がさらに充電される。
【００４１】
そして、第１の二次電池群の正極側に設けられた第１の二次電池が充電されて所定の充電電圧になったときに、電源手段によって、第１の容量素子を充電するように切り替えられて電力を供給する。
【００４２】
このとき、第１の二次電池群の正極側に設けられた第１の二次電池が放電し、第１の二次電池群の正極側に設けられた隣接する第１の二次電池に対応する第２の二次電池が充電される。また、第２の容量素子が放電し、第１の二次電池群の正極側に設けられた第１の二次電池が充電される。
【００４３】
そして、第２の二次電池が充電され、充電電圧が高くなると、第２の二次電池が放電し、上記の隣接する第１の二次電池の負極側に設けられた第１の二次電池が充電される。
【００４４】
同様に、第１の二次電池群の複数の第１の二次電池の各々及び第２の二次電池群の複数の第２の二次電池の各々が、充電及び放電し、また、第３の二次電池群の複数の第３の二次電池の各々が、第２の二次電池群の複数の第２の二次電池の各々と同様に、充電及び放電する。
【００４５】
そして、上記のように、電源手段によって、第１の二次電池群の正極側に設けられた第１の二次電池及び第１の容量素子の何れかを充電するように切り替えながら電力を供給することにより、第１の容量素子、第２の容量素子、直列接続された複数の第１の二次電池、直列接続された複数の第２の二次電池、及び直列接続された複数の第３の二次電池の各々が充放電を繰り返し、各々の充電電圧が収束していき、満充電状態になる。
【００４６】
従って、複数の二次電池、容量素子、整流素子、及び電源手段からなる簡易な回路で構成され、かつ、電源手段によって、第１の二次電池群の正極側に設けられた第１の二次電池及び第１の容量素子の何れかを充電するように切り替えながら電力を供給し、第１の容量素子、第２の容量素子、直列接続された複数の第１の二次電池、直列接続された複数の第２の二次電池、及び直列接続された複数の第３の二次電池の各々が充放電を繰り返すことにより、直列接続された二次電池がばらつきなく充電され、電池寿命及び性能を向上させることができる。
【００４７】
また、第１の二次電池群に対して、対称に容量素子及び二次電池群を２つ設けることにより、電源手段によって供給される電力がどちらに切り替えられていても、第１の二次電池群の正極側に設けられた第１の二次電池を充電することができるため、効率的に二次電池を充電することができる。
【００４８】
第５の発明に係る第１の整流素子乃至第６の整流素子を、ダイオードとすることができる。これにより、回路の構成をより簡易なものにすることができる。
【００４９】
また、第５の発明に係る第１の二次電池乃至第３の二次電池を、略同一の容量とすることができる。これにより、回路の部品の種類数が増えるのを防止し、回路の構成を簡易にすることができる。
【００５０】
また、第６の発明に係る電気装置は、上記の電池充電回路と、前記電池充電回路の前記第１の二次電池群に接続され、かつ、前記第１の二次電池群から電力が供給される負荷部とを含んで構成されている。
【００５１】
第６の発明に係る電気装置によれば、電池充電回路において、第１の二次電池群の第１の二次電池がばらつきなく充電され、充電された第１の二次電池から電力が負荷部に供給され、負荷部が所定の動作を行う。
【００５２】
従って、電池充電回路が、簡易な回路で構成され、かつ、直列接続された二次電池をばらつきなく充電でき、電池寿命及び性能を向上させることができる。また、二次電池がばらつきなく均一に充電されることで放電時も一定の容量を供給することができる。
【発明の効果】
【００５３】
以上説明したように、本発明の電池充電回路によれば、簡易な回路で構成され、かつ、複数の二次電池に充放電を繰り返させることにより、直列接続された二次電池をばらつきなく充電でき、電池寿命及び性能を向上させることができる、という効果が得られる。
【発明を実施するための最良の形態】
【００５４】
以下、本発明の第１の実施の形態について図面を参照して詳細に説明する。
【００５５】
図１に示すように、第１の実施の形態に係る電気装置１０は、充電すると共に、直流電源を供給する電池充電回路１２と、電池充電回路１２から直流電源を供給される負荷部１４とから構成されており、負荷部１４の一端は、電池充電回路１２に接続されており、他端は接地部に接続されている。
【００５６】
電池充電回路１２は、従来加速器の高電圧発生用に開発されたコッククロフト・ウォルトン回路において、キャパシタを二次電池に置き換えた構成となっている。具体的には、電池充電回路１２は、直列接続され、かつ、容量が略同一（例えば、約０．２５ｍＡｈ）である複数の第１の二次電池１６Ａ、１６Ｂから構成される第１の二次電池群１６と、直列接続され、かつ、容量が第１の二次電池１６Ａ、１６Ｂと略同一である複数の第２の二次電池１８Ａ、１８Ｂから構成される第２の二次電池群１８と、一端が第１の二次電池群１６の正極側に接続され、かつ、第１の二次電池群１６の正極側の方向及びこの方向と反対の方向（後述するキャパシタ２２側の方向）の何れか一方に所定電流（例えば、０．１ｍＡ）の電力を供給する電源部２０と、一端が電源部２０の他端に接続され、かつ、他端が第２の二次電池群１８の正極側に接続されたキャパシタ２２とを備えて構成されている。
【００５７】
なお、第２の二次電池群１８の第２の二次電池１８Ａは、第１の二次電池群１６の隣接する第１の二次電池１６Ａ、１６Ｂに対応するように設けられたものである。
【００５８】
また、電池充電回路１２は、更に、キャパシタ２２の他端にアノードが接続され、かつ、電源部２０の一端にカソードが接続され、キャパシタ２２の他端から電源部２０の一端方向への電流の流れを許容し、反対方向の電流の流れを阻止する第１のダイオード２４と、第２の二次電池群１８の正極側に設けられている第２の二次電池１８Ａの負極にアノードが接続され、かつ、第１の二次電池群１６の第１の二次電池１６Ａ、１６Ｂの接続部にカソードが接続され、第２の二次電池１８Ａの負極から第１の二次電池１６Ａ、１６Ｂの接続部方向への電流の流れを許容し、反対方向の電流の流れを阻止する第２のダイオード２６Ａと、第２の二次電池群１８の負極側に設けられている第２の二次電池１８Ｂの負極にアノードが接続され、かつ、第１の二次電池群１６の第１の二次電池１８Ｂの負極にカソードが接続された第２のダイオード２６Ｂと、第２の二次電池群１８の正極側に設けられた第２の二次電池１８Ａの正極にカソードが接続され、かつ、第１の二次電池群１６の第１の二次電池１６Ａ、１６Ｂの接続部にアノードが接続され、第１の二次電池１６Ａ、１６Ｂの接続部から第２の二次電池１８Ａの正極方向への電流の流れを許容し、反対方向の電流の流れを阻止する第３のダイオード２８Ａと、第２の二次電池群１８の負極側に設けられた二次電池１８Ｂの正極にカソードが接続され、かつ、第１の二次電池群１８の負極側に設けられた第１の二次電池１８Ｂの負極にアノードが接続された第３のダイオード２８Ｂを備えて構成されている。
【００５９】
また、第１の二次電池群１６の負極側には、切替部４０が設けられており、第１の二次電池群１６から負荷部１４への直流電源の供給のオンオフを切り替えるようになっている。
【００６０】
また、キャパシタ２２には、キャパシタ２２の充電電圧を計測するキャパシタ電圧計３０が設けられ、第１の二次電池１６Ａには、第１の二次電池１６Ａの充電電圧を計測する二次電池電圧計３２が設けられている。
【００６１】
電源部２０は、供給する電力の電流方向が異なる直流電源３４Ａ、３４Ｂと、後述する切替制御部４２からの制御信号に基づいて、電流を出力する直流電源３４Ａ、３４Ｂの何れか一方から他方へ切り替える切替スイッチ３６から構成されている。
【００６２】
また、キャパシタ電圧計３０の充電電圧と二次電池電圧計３２の充電電圧とに基づいて、後述する電源部２０の切替スイッチ３６を制御する切替制御部４２が設けられており、切替制御部４２は、キャパシタ電圧計３０が所定の充電電圧（例えば、４．３Ｖ）を計測したときに、電源部２０から出力される電力の電流の方向を第１の二次電池群１６の正極側の方向に切り替えるように切替スイッチ３６を制御し、二次電池電圧計３２が所定の充電電圧（例えば、４．３Ｖ）を計測したときに、電源部２０から出力される電力の電流の方向を第１の二次電池群１６の正極側と反対の方向に切り替えるように切替スイッチ３６を制御するようになっている。
【００６３】
また、二次電池１６Ａ、１６Ｂ、１８Ａ、１８Ｂにおいて、一方の極は、バインダを用いてスラリーとして電極面積１ｃｍ２に切り出したアルミニウム箔（純度９９．９９％、厚さ０．１ｍｍ、電解コンデンサ用）に活物質（ＬｉＭｎ２Ｏ４）及び導電助材（アセチレンブラック）をディップコーティングによって塗布して作製されており、対極には金属Ｌｉ、電解液には１ＭＬｉＰＦ６／ＥＣ＋ＤＥＣが用いられて作製されている。
【００６４】
また、第１のダイオード２４、第２のダイオード２６Ａ、２６Ｂ、及び第３のダイオード２８Ａ、２８ＢはＳｉダイオードで作製されている。
【００６５】
次に、第１の実施の形態の作用について説明する。
【００６６】
まず、キャパシタ２２側の方向に所定電流の電力を電源部２０から供給すると、電流が電源部２０からキャパシタ２２を通り、第１のダイオード２４へ流れ、電源部２０へと戻る回路が形成され、キャパシタ２２が充電される。
【００６７】
そして、キャパシタ２２が充電され、キャパシタ電圧計３０が所定電圧を計測すると、切替制御部４２によって切替スイッチ３６を切り替え、電源部２０から供給される電力の電流の方向を反転し、電流がキャパシタ２２から電源部２０、第１の二次電池１６Ａと通過し、第３のダイオード２８Ａへと流れる回路が形成されるため、キャパシタ２２の放電と電源部２０の電力供給とによって、第１の二次電池１６Ａの充電が起こる。
【００６８】
また、第１の二次電池１６Ａが充電され、二次電池電圧計３２が所定電圧を計測すると、切替制御部４２によって切替スイッチ３６を切り替え、電源部２０から出力される電力の電流の方向を反転し、電流が第１の二次電池１６Ａから流れ、電源部２０、キャパシタ２２、第２の二次電池１８Ａを通過し、第２のダイオード２６Ａへと流れる回路が形成されるため、キャパシタ２２の充電と、第１の二次電池１６Ａの放電による第２の二次電池１８Ａの充電が起こる。この第２の二次電池１８Ａの充電は、電源部２０から出力される電力の電流の方向に関らず、第１の二次電池１６Ａの充電電圧が第２の二次電池１８Ａの充電電圧より高い間継続する。
【００６９】
また、同様に、電源部２０から出力される電力の電流の方向に関らず、第２の二次電池１８Ａの充電電圧が第１の二次電池１６Ｂより高い間、第２の二次電池１８Ａの放電による第１の二次電池１６Ｂの充電が起こり、第１の二次電池１６Ｂの充電電圧が第２の二次電池１８Ｂより高い間、第１の二次電池１６Ｂの放電による第２の二次電池１８Ｂの充電が起こる。
【００７０】
このように、電源部２０が出力する電力の電流の方向の反転を繰り返していくと、図２に示すように、キャパシタ２２の充電電圧、第１の二次電池１６Ａの充電電圧、及び第２の二次電池１８Ａの充電電圧の振幅は小さくなり、満充電状態に収束していく。例えば、９００秒後の各部の充電電圧は、キャパシタ２２の充電電圧４．１６Ｖ、第１の二次電池１６Ａの充電電圧４．１０Ｖ、第２の二次電池１８Ａの充電電圧４．１３Ｖであり、充電終了時の第１の二次電池１６Ａの充電電圧と第２の二次電池１８Ａの充電電圧との電圧差は０．０３Ｖとなっている。
【００７１】
そして、切替部４０がオンされると、充電された第１の二次電池１６Ａ、１６Ｂから各充電電圧の総和の電圧が負荷部１４に印加される。なお、負荷部１４へ電圧を印加しているときにも、電源部２０によって、第１の二次電池１６Ａ、１６Ｂ、第２の二次電池１８Ａ、１８Ｂを充電するようにしてもよい。
【００７２】
以上説明したように、第１の実施の形態に係る電気装置によれば、複数の二次電池、キャパシタ、ダイオード、及び電源部からなる簡易な回路で構成され、かつ、電源部によって、供給する電力の電流方向を、第１の二次電池群の正極側に設けられた第１の二次電池の方向及びキャパシタの方向の何れかに切り替えながら電力を供給し、キャパシタ、直列接続された複数の第１の二次電池、及び直列接続された複数の第２の二次電池の各々が充放電を繰り返すことにより、直列接続された二次電池をばらつきなく充電し、電池寿命及び性能を向上させることができる。
【００７３】
また、複数の二次電池を均一に充電することにより、負荷部へ放電する時も一定の容量を供給することができる。
【００７４】
また、電池自体が整流回路の役割を果たすことができるので、回路が簡潔となる。
【００７５】
また、電池充電回路に設けられた複数の二次電池の全てを、略同一の容量とすることにより、回路の部品の種類数の増加を抑制できるため、回路の構成を簡易にすることができる。
【００７６】
また、電流の流れを整流するものとしてダイオードを用いることにより、回路の構成をより簡易なものにすることができる。
【００７７】
なお、上記の実施の形態では、第１の二次電池群の二次電池の数と第２の二次電池群の二次電池の数とが同数である場合を例に説明したが、隣接する第１の二次電池に対応する第２の二次電池だけを設けてもよい。その場合には、第２の二次電池群の二次電池の数が、第１の二次電池群の二次電池の数より１つ少なくなるようにすればよい。
【００７８】
また、第１の二次電池群の二次電池群の数が２つである場合を例に説明したが、負荷部へ供給すべき電力の電圧に応じて、第１の二次電池群の二次電池の数を増やしてもよい。
【００７９】
次に、本発明の第２の実施の形態について説明する。なお、第１の実施の形態と同様の部分については、同一の符号を付して説明を省略する。第２の実施の形態では、電源部がキャパシタ２２側の方向への所定電流の出力をオンオフするパルス電流方式となっている点が第１の実施の形態と異なっている。
【００８０】
図３に示すように、第２の実施の形態に係る電気装置１１０において、電池充電回路１１２の電源部１２０は、キャパシタ２２側の方向への所定電流を出力する直流電源３４Ａと、直流電源３４Ａによる所定電流の出力及び通電の何れか一方から他方へ切り替える切替スイッチ１３６から構成されており、切替スイッチ１３６は、切替制御部４２からの制御信号に基づいて、キャパシタ電圧計３０が所定の充電電圧を計測したときに、通電に切り替え、二次電池電圧計３２が所定の充電電圧を計測したときに、電源部１２０からキャパシタ２２側の方向へ所定電流を出力するように切り替えるようになっている。
【００８１】
なお、電気装置１１０の他の構成は、第１の実施の形態と同様であるため、他の構成に関する説明を省略する。
【００８２】
次に、第２の実施の形態の作用について説明する。
【００８３】
まず、キャパシタ２２側の方向に所定電流を電源部１２０から出力すると、電流が電源部１２０からキャパシタ２２を通り、第１のダイオード２４へ流れ、電源部２０へと戻る回路が形成され、キャパシタ２２が充電される。
【００８４】
そして、キャパシタ２２が充電され、キャパシタ電圧計３０が所定電圧を計測すると、切替制御部４２によって切替スイッチ１３６を切り替え、電源部１２０を介してキャパシタ２２と第１の二次電池１６Ａとが通電され、充電されたキャパシタ２２から、電流が電源部１２０、第１の二次電池１６Ａと通過し、第３のダイオード２８Ａへと流れる回路が形成されるため、キャパシタ２２の放電による第１の二次電池１６Ａの充電が起こる。
【００８５】
また、第１の二次電池１６Ａが充電され、二次電池電圧計３２が所定電圧を計測すると、切替制御部４２によって切替スイッチ１３６を切り替え、電源部１２０から所定電流がキャパシタ２２側の方向に出力され、電流が第１の二次電池１６Ａから流れ、電源部１２０、キャパシタ２２、第２の二次電池１８Ａを通過し、第２のダイオード２６Ａへと流れる回路が形成されるため、キャパシタ２２の充電と、第１の二次電池１６Ａの放電による第２の二次電池１８Ａの充電が起こる。この第２の二次電池１８Ａの充電は、電源部１２０から出力される電流のオンオフに関らず、第１の二次電池１６Ａの充電電圧が第２の二次電池１８Ａの充電電圧より高い間継続する。
【００８６】
また、同様に、電源部１２０から出力される電流のオンオフに関らず、第２の二次電池１８Ａの充電電圧が第１の二次電池１６Ｂより高い間、第２の二次電池１８Ａの放電による第１の二次電池１６Ｂの充電が起こり、第１の二次電池１６Ｂの充電電圧が第２の二次電池１８Ｂより高い間、第１の二次電池１６Ｂの放電による第２の二次電池１８Ｂの充電が起こる。
【００８７】
このように、電源部１２０から出力される電流のオンオフを繰り返していくと、キャパシタ２２の充電電圧、第１の二次電池１６Ａの充電電圧、及び第２の二次電池１８Ａの充電電圧の振幅は小さくなり、満充電状態に収束していく。
【００８８】
以上説明したように、第２の実施の形態に係る電気装置によれば、複数の二次電池、キャパシタ、ダイオード、及び電源部からなる簡易な回路で構成され、かつ、電源部によって、第１の二次電池群の正極側に設けられた第１の二次電池及びキャパシタの何れかを切り替えて充電するように、電力供給をオンオフし、キャパシタ、直列接続された複数の第１の二次電池、及び直列接続された複数の第２の二次電池の各々が充放電を繰り返すことにより、直列接続された二次電池がばらつきなく充電され、電池寿命及び性能を向上させることができる。
【００８９】
次に、第３の実施の形態について説明する。なお、第１の実施の形態と同様の部分については、同一の符号を付して説明を省略する。
【００９０】
第３の実施の形態では、電源部の一端にはキャパシタではなく、二次電池が接続されており、また、複数の二次電池から構成される二次電池部毎にダイオードがたがい違いに接続されている点が第１の実施の形態と異なっている。
【００９１】
図４に示すように、第３の実施の形態に係る電池充電回路２１４は、容量が略同一である２つの第１の二次電池２１６Ａ、２１６Ｂが直列接続された第１の二次電池部２１６、及び容量が第１の二次電池２１６Ａ、２１６Ｂと略同一である第１の二次電池２１７Ａ、２１７Ｂが直列接続された第１の二次電池部２１７が直列接続された第１の二次電池群２５０と、容量が第１の二次電池２１６Ａ、２１６Ｂと略同一である第２の二次電池２１８Ａ、２１８Ｂが直列接続された第２の二次電池部２１８、及び容量が第１の二次電池２１６Ａ、２１６Ｂと略同一である第２の二次電池２１９Ａ、２１９Ｂが直列接続された第２の二次電池部２１９が直列接続された第２の二次電池群２５２を備えている。
【００９２】
更に、電池充電回路２１４は、一端が第１の二次電池群２５０の正極側に接続され、かつ、第１の二次電池群２５０の正極側の方向及びこの方向と反対の方向（後述する第３の二次電池２２２側の方向）の何れか一方に所定電圧（例えば、４．３Ｖ）の電力を供給する電源部２２０と、正極が電源部２２０の他端に接続され、かつ、負極が第２の二次電池群１８の正極側に接続され、容量が第１の二次電池２１６Ａ、２１６Ｂと略同一である第３の二次電池２２２とを備えて構成されている。
【００９３】
これにより、第１の二次電池部２１６、２１７及び第２の二次電池部２１８、２１９の容量が、第３の二次電池２２２の容量の２倍となっている。
【００９４】
なお、第２の二次電池群２５２の第２の二次電池部２１８は、第１の二次電池群２５０の隣接する第１の二次電池部２１６、２１７に対応するように設けられたものである。
【００９５】
また、電池充電回路２１４は、更に、第３の二次電池２２２の負極にアノードが接続され、かつ、電源部２２０の一端にカソードが接続され、第３の二次電池２２２の負極から電源部２２０の一端方向への電流の流れを許容し、反対方向の電流の流れを阻止する第１のダイオード２２４と、第２の二次電池群２５２の正極側に設けられている第２の二次電池部２１８の負極側にアノードが接続され、かつ、第１の二次電池群２５０の第１の二次電池部２１６、２１７の接続部にカソードが接続され、第２の二次電池部２１８の負極側から第１の二次電池部２１６、２１７の接続部方向への電流の流れを許容し、反対方向の電流の流れを阻止する第２のダイオード２２６Ａと、第２の二次電池群２５２の負極側に設けられている第２の二次電池部２１９の負極側にアノードが接続され、かつ、第１の二次電池群２５０の第１の二次電池部２１７の負極側にカソードが接続された第２のダイオード２２６Ｂと、第２の二次電池群２５２の正極側に設けられた第２の二次電池部２１８の正極側にカソードが接続され、かつ、第１の二次電池群２５０の第１の二次電池２１６、２１７の接続部にアノードが接続され、第１の二次電池部２１６、２１７の接続部から第２の二次電池部２１８の正極側方向への電流の流れを許容し、反対方向の電流の流れを阻止する第３のダイオード２２８Ａと、第２の二次電池群２５２の負極側に設けられた二次電池２１９の正極側にカソードが接続され、かつ、第１の二次電池群２５２の負極側に設けられた第１の二次電池部２１７の負極にアノードが接続された第３のダイオード２２８Ｂを備えて構成されている。
【００９６】
また、第１の二次電池群２５０の負極側には、切替部４０が設けられており、第１の二次電池群２５０から負荷部１４への直流電源の供給のオンオフを切り替えるようになっている。
【００９７】
電源部２２０は、例えば、交流電源となっており、所定周波数で所定電圧の交流電圧を出力するようになっている。
【００９８】
次に、第３の実施の形態に係る作用について説明する。
【００９９】
まず、第３の二次電池２２２側の方向に所定の正電圧の電力を電源部２２０から供給すると、電流が電源部２２０から第３の二次電池２２２を通り、第１のダイオード２２４へ流れ、電源部２２０へと戻る回路が形成され、第３の二次電池２２２が充電される。
【０１００】
そして、第３の二次電池２２２が充電され、所定のタイミングで、電源部２２０から出力される電圧の正負が反転し、電流が第３の二次電池２２２から電源部２２０、第１の二次電池２１６Ａ、２１６Ｂと通過し、第３のダイオード２２８Ａへと流れる回路が形成されるため、第３の二次電池２２２の放電と電源部２２０からの電源供給とにより、第１の二次電池２１６Ａ、２１６Ｂの充電が起こる。なお、所定のタイミングは、例えば、第３の二次電池２２２が所定の充電電圧になるようなタイミングである。
【０１０１】
また、第１の二次電池２１６Ａ、２１６Ｂが充電され、所定のタイミングで、電源部２２０から出力される電圧の正負が反転し、電流が第１の二次電池２１６Ａ、２１６Ｂから流れ、電源部２２０、第３の二次電池２２２、第２の二次電池２１８Ａ、２１８Ｂを通過し、第２のダイオード２２６Ａへと流れる回路が形成されるため、第３の二次電池２２２の充電と、第１の二次電池２１６Ａ、２１６Ｂの放電による第２の二次電池２１８Ａ、２１８Ｂの充電が起こる。この第２の二次電池２１８Ａ、２１８Ｂの充電は、電源部２２０から供給される電力の電圧の正負に関らず、第１の二次電池２１６Ａ、２１６Ｂの充電電圧が第２の二次電池２１８Ａ、２１８Ｂの充電電圧より高い間継続する。
【０１０２】
また、同様に、電源部２２０から供給される電力の電圧の正負に関らず、第２の二次電池２１８Ａ、２１８Ｂの充電電圧が第１の二次電池２１７Ａ、２１７Ｂより高い間、第２の二次電池２１８Ａ、２１８Ｂの放電による第１の二次電池２１７Ａ、２１７Ｂの充電が起こり、第１の二次電池２１７Ａ、２１７Ｂの充電電圧が第２の二次電池２１９Ａ、２１９Ｂより高い間、第１の二次電池２１７Ａ、２１７Ｂの放電による第２の二次電池２１９Ａ、２１９Ｂの充電が起こる。
【０１０３】
このように、電源部２２０が供給する電力の電圧の正負の反転を繰り返していくと、図５に示すように、第３の二次電池２２２の充電電圧、第１の二次電池２１６Ａ、２１６Ｂの充電電圧、及び第２の二次電池２１８Ａ、２１８Ｂの充電電圧の振幅は小さくなり、満充電状態に収束していく。例えば、充電終了時の各部の充電電圧は、第３の二次電池２２２の充電電圧３．９０Ｖ、第１の二次電池２１６Ａの充電電圧４．３０Ｖ、第１の二次電池２１６Ｂの充電電圧４．１８Ｖ、第２の二次電池２１８Ａの充電電圧３．９０Ｖ、第２の二次電池２１８Ｂ４．００Ｖとなっている。
【０１０４】
以上説明したように、第３の実施の形態に係る電気装置によれば、複数の二次電池、ダイオード、及び電源部からなる簡易な回路で構成され、かつ、電源部によって、第１の二次電池群の正極側に設けられた第１の二次電池及び第３の二次電池の何れかを充電するように切り替えながら電力を供給し、第３の二次電池、直列接続された複数の第１の二次電池部の各々の第１の二次電池、及び直列接続された複数の第２の二次電池の各々の第２の二次電池が充放電を繰り返すことにより、直列接続された二次電池をばらつきなく充電し、電池寿命及び性能を向上させることができる
なお、第１の二次電池部及び第２の二次電池部の各々を構成する二次電池が２つである場合を例に説明したが、これに限定されるものではなく、３つ以上であってもよい。
【０１０５】
また、定電圧の交流電圧の電力を供給する場合を例に説明したが、定電流の電力を、電流方向を切り替えながら供給するようにしてもよい。
【０１０６】
次に、第４の実施の形態について説明する。なお、第１の実施の形態と同様の部分については、同一符号を付して説明を省略する。
【０１０７】
第４の実施の形態では、第１の二次電池群に対して、キャパシタ及び第２の二次電池群と対称にキャパシタ及び二次電池群を更に設けた点が第１の実施の形態と異なっている。
【０１０８】
図６に示すように、第４の実施の形態に係る電池充電回路３１４は、直列接続され、かつ、容量が略同一である複数の第１の二次電池１６Ａ、１６Ｂ、１６Ｃ、１６Ｄから構成される第１の二次電池群１６と、直列接続され、かつ、容量が第１の二次電池１６Ａ〜１６Ｄと略同一である第２の二次電池１８Ａ、１８Ｂ、１８Ｃから構成される第２の二次電池群１８と、電源部２０と、第１のキャパシタ３２０とを備えて構成されている。
【０１０９】
なお、第２の二次電池１８Ａ〜１８Ｃの各々は、隣接する第１の二次電池１６Ａ、１６Ｂ、隣接する第１の二次電池１６Ｂ、１６Ｃ、隣接する第１の二次電池１６Ｃ、１６Ｄの各々に対応して設けられている。
【０１１０】
更に、電池充電回路３１４は、直列接続され、かつ、容量が第１の二次電池１６Ａ〜１６Ｄと略同一である第３の二次電池３１８Ａ、３１８Ｂ、３１８Ｃから構成される第３の二次電池群３１８と、一端が電源部２０の一端に接続され、かつ、他端が第３の二次電池群３１８の正極側に接続された第２のキャパシタ３２２とを備えて構成されている。また、第３の二次電池３１８Ａ〜３１８Ｃの各々は、隣接する第１の二次電池１６Ａ、１６Ｂ、隣接する第１の二次電池１６Ｂ、１６Ｃ、隣接する第１の二次電池１６Ｃ、１６Ｄの各々に対応して設けられている。
【０１１１】
また、電池充電回路３１４は、第１のダイオード２４、第２のダイオード２６Ａ〜２６Ｃ、及び第３のダイオード２８Ａ〜２８Ｄを備えて構成されている。
【０１１２】
また、電池充電回路３１４は、第２のキャパシタ３２２の一端にアノードが接続され、かつ、第１の二次電池群１６の正極側にカソードが接続されると共に、第２のキャパシタ３２２の一端から第１の二次電池群１６の正極側方向への電流の流れを許容し、反対方向への電流の流れを阻止する第４のダイオード３２４と、カソードが、第１の二次電池群１６の隣接する２つの第１の二次電池１６Ａ、１６Ｂの接続部に接続され、かつ、アノードが、隣接する２つの第１の二次電池１６Ａ、１６Ｂに対応する第３の二次電池３１８Ａの負極に接続されると共に、第３の二次電池３１８Ａの負極から隣接する２つの第１の二次電池１６Ａ、１６Ｂの接続部方向への電流の流れを許容し、反対方向への電流の流れを阻止する第５のダイオード３２６Ａと、アノードが、第１の二次電池群１６の隣接する２つの第１の二次電池１６Ａ、１６Ｂの接続部に接続され、かつ、カソードが、隣接する２つの第１の二次電池１６Ａ、１６Ｂに対応する第３の二次電池３１８Ａの正極に接続されると共に、隣接する２つの第１の二次電池１６Ａ、１６Ｂの接続部から第３の二次電池３１８Ａの正極方向への電流の流れを許容し、反対方向への電流の流れを阻止する第６のダイオード３２８Ａとを備えている。
【０１１３】
また、隣接する２つの第１の二次電池１６Ｂ、１６Ｃや第１の二次電池１６Ｃ、１６Ｄに対応する第１の二次電池１６Ｂ、１６Ｃについても、同様に第５のダイオード３２６Ｂ、３２６Ｃ、第６のダイオード３２８Ｂ、３２８Ｃが設けられている。
【０１１４】
また、第１の二次電池群１６の負極側には、切替部４０が設けられており、第１の二次電池群１６から負荷部１４への直流電源の供給のオンオフを切り替えるようになっている。
【０１１５】
電源部２０は、第１のキャパシタ３２０の充電電圧と第１の二次電池１６Ａの充電電圧とに基づいて、切替制御部４２によって、供給する電力の電流方向が切り替えられ、第１のキャパシタ３２０が所定の充電電圧になったときに、電源部２０から供給される電力の電流方向を第１の二次電池群１６の正極側の方向（第２のキャパシタ３２２の方向）に切り替えるように切替スイッチ３６を制御し、第１の二次電池１６Ａが所定の充電電圧になったときに、電源部２０から供給される電力の電流方向を第１のキャパシタ３２０の方向に切り替えるように切替スイッチ３６を制御するようになっている。
【０１１６】
次に、第４の実施の形態の作用について説明する。
【０１１７】
まず、第１のキャパシタ３２０側の方向の電流を電源部２０から出力すると、電流が電源部２０から第１のキャパシタ３２０を通り、第１のダイオード２４へ流れ、電源部２０へと戻る回路が形成され、第１のキャパシタ３２０が充電される。
【０１１８】
そして、第１のキャパシタ３２０が充電され、第１のキャパシタ３２０が所定の充電電圧になると、切替制御部４２によって切替スイッチ３６を切り替え、電源部２０から供給される電力の電流方向を反転し、電流が電源部２０から第２のキャパシタ３２２を通り、第４のダイオード３２４を通り電源部２０へ戻る回路が形成され、キャパシタ２２の放電と電源部２０の電力供給とにより、第２のキャパシタ３２２が充電される。これと同時に、電流が第１のキャパシタ３２０から第１の二次電池１６Ａ及び第３のダイオード２８Ａを通過し、第２のキャパシタ３２２に戻る回路が形成されるため、キャパシタ２２の放電と電源部２０の電力供給とにより、第１の二次電池１６Ａの充電が起こる。
【０１１９】
また、第１の二次電池１６Ａが充電され、充電電圧が高くなると、第１の二次電池１６Ａから始まり、第１のキャパシタ３２０、第２の二次電池１８Ａを通過し、第２のダイオード２６Ａへと流れる回路が形成されるため、第１の二次電池１６Ａの放電による第２の二次電池１８Ａの充電が起こる。この第２の二次電池１８Ａの充電は、第１の二次電池１６Ａの充電電圧が第２の二次電池１８Ａの充電電圧より高い間継続する。
【０１２０】
また、同様に、第２の二次電池１８Ａの充電電圧が第１の二次電池１６Ｂより高い間、第２の二次電池１８Ａの放電による第１の二次電池１６Ｂの充電が起こり、第１の二次電池１６Ｂの充電電圧が第２の二次電池１８Ｂより高い間、第１の二次電池１６Ｂの放電による第２の二次電池１８Ｂの充電が起こる。第１の二次電池１６Ｃ、１６Ｄ及び第２の二次電池１８Ｃについても、上記と同様に充電が起こる。
【０１２１】
また、電源部２０から第２のキャパシタ３２２の方向に電流が出力されると、第２のキャパシタ３２２から第１の二次電池１６Ａ及び第６のダイオード３２８Ａを通り、キャパシタ３２２に戻る回路が形成され、第２のキャパシタ３２２の放電による第１の二次電池１６Ａの充電が起こる。
【０１２２】
また、第１の二次電池１６Ａが充電され、充電電圧が高くなると、第１の二次電池１６Ａから始まり、第２のキャパシタ３２２、第３の二次電池３１８Ａを通過し、第５のダイオード３２６Ａへと流れる回路が形成されるため、第１の二次電池１６Ａの放電による第３の二次電池３１８Ａの充電が起こる。この第３の二次電池３１８Ａの充電は、第１の二次電池１６Ａの充電電圧が第３の二次電池３１８Ａの充電電圧より高い間継続する。
【０１２３】
また、同様に、第３の二次電池３１８Ａの充電電圧が第１の二次電池１６Ｂより高い間、第３の二次電池３１８Ａの放電による第１の二次電池１６Ｂの充電が起こり、第１の二次電池１６Ｂの充電電圧が第３の二次電池３１８Ｂより高い間、第１の二次電池１６Ｂの放電による第３の二次電池３１８Ｂの充電が起こる。第１の二次電池１６Ｃ、１６Ｄ及び第３の二次電池３１８Ｃについても、上記と同様に充電が起こる。
【０１２４】
このように、電源部２０が供給する電力の電流方向の反転を繰り返していくと、第１のキャパシタ３２０、第２のキャパシタ３２２、第１の二次電池１６Ａ〜１６Ｄの充電電圧、第２の二次電池１８Ａ〜１８Ｃ、及び第３の二次電池３１８Ａ〜３１８Ｃの充電電圧の振幅は小さくなり、満充電状態に収束していく。
【０１２５】
以上説明したように第４の実施の形態に係る電気装置によれば、複数の二次電池、キャパシタ、ダイオード、及び電源部からなる簡易な回路で構成され、かつ、電源部によって、第１の二次電池群の正極側に設けられた第１の二次電池及び第１のキャパシタの何れかを充電するように、電力の電流方向を切り替えながら電力を供給し、第１のキャパシタ、第２のキャパシタ、直列接続された複数の第１の二次電池、直列接続された複数の第２の二次電池、及び直列接続された複数の第３の二次電池の各々が充放電を繰り返すことにより、直列接続された二次電池をばらつきなく充電し、電池寿命及び性能を向上させることができる。
【０１２６】
また、第１の二次電池群に対してキャパシタ及び二次電池群を対称に２つ設けることにより、電源部によって供給される電力の電流方向が何れの方向となっていても、第１の二次電池群の正極側に設けられた第１の二次電池を充電することができるため、効率的に二次電池を充電することができる。
【０１２７】
なお、二次電池の極及びダイオードの向きを反転させてもよく、その場合には、図７に示すように、第１の二次電池群１６の負極側に電源部２０を接続し、第２の二次電池群１８の負極側に第１のキャパシタ３２０を接続し、第３の二次電池群３１８の負極側に第２のキャパシタ３２２を接続する。また、第１の二次電池群１６の負極側から第１のキャパシタ３２０の一端方向への電流の流れを許容し、反対方向への電流の流れを阻止するように第１のダイオード２４を設け、第１の二次電池群１６の隣接する２つの第１の二次電池１６Ａ、１６Ｂの接続部から、第２の二次電池１８Ａの正極方向への電流の流れを許容し、反対方向への電流の流れを阻止するように第２のダイオード２６Ａを設け、また、第２の二次電池１８Ａの負極から第１の二次電池群１６の隣接する２つの第１の二次電池１６Ａ、１６Ｂの接続部方向への電流の流れを許容し、反対方向への電流の流れを阻止するように第３のダイオード２８Ａを設ける。また、他の第１のダイオード２６Ｂ、２６Ｃ、第２のダイオード２８Ｂ、２８Ｃも同様に設ける。また、第１の二次電池群１６と第３の二次電池群３１８とに介在する第４のダイオード３２４、第５のダイオード３２６Ａ〜３２６Ｃ、第６のダイオード３２８Ａ〜３２８Ｃを上記と対称に設ければよい。
【図面の簡単な説明】
【０１２８】
【図１】本発明の第１の実施の形態に係る電気装置の構成を示す回路図である。
【図２】本発明の第１の実施の形態に係るキャパシタ、第１の二次電池、第２の二次電池の充電電圧の変化を示すグラフである。
【図３】本発明の第２の実施の形態に係る電気装置の構成を示す回路図である。
【図４】本発明の第３の実施の形態に係る電気装置の構成を示す回路図である。
【図５】本発明の第３の実施の形態に係る第１の二次電池、第２の二次電池の充電電圧の変化を示すグラフである。
【図６】本発明の第４の実施の形態に係る電池充電回路の構成を示す回路図である。
【図７】本発明の第４の実施の形態のもう一つの実施の形態に係る電池充電回路の構成を示す回路図である。
【符号の説明】
【０１２９】
１０、１１０  電気装置
１２、１１２、２１４、３１４  電池充電回路
１４  負荷部
１６Ａ、１６Ｂ、１６Ｃ  第１の二次電池
１６  第１の二次電池群
１８Ａ、１８Ｂ、１８Ｃ  第２の二次電池
１８  第２の二次電池群
２０、１２０  電源部
２２  キャパシタ
２４  第１のダイオード
２６Ａ、２６Ｂ  第２のダイオード
２８Ａ、２８Ｂ  第３のダイオード
３０  キャパシタ電圧計
３２  二次電池電圧計
３４Ａ、３４Ｂ  直流電源
３６、１３６  切替スイッチ
４２  切替制御部
２１６、２１７  第１の二次電池部
２１６Ａ、２１６Ｂ、２１７Ａ、２１７Ｂ  第１の二次電池
２１８、２１９  第２の二次電池部
２１８Ａ、２１８Ｂ、２１９Ａ、２１９Ｂ  第２の二次電池
２２０  電源部
２２２  第３の二次電池
２２４  第１のダイオード
２２６Ａ、２２６Ｂ  第２のダイオード
２２８Ａ、２２８Ｂ  第３のダイオード
２５０  第１の二次電池群
２５２  第２の二次電池群
３１８  第３の二次電池群
３１８Ａ、３１８Ｂ、３１８Ｃ  第３の二次電池
３２０  第１のキャパシタ
３２２  第２のキャパシタ
３２４  第４のダイオード
３２６Ａ、３２６Ｂ、３２６Ｃ  第５のダイオード
３２８Ａ、３２８Ｂ、３２８Ｃ  第６のダイオード
【図１】
0004486918.tif 000002
【図２】
0004486918.tif 000003
【図３】
0004486918.tif 000004
【図４】
0004486918.tif 000005
【図５】
0004486918.tif 000006
【図６】
0004486918.tif 000007
【図７】
0004486918.tif 000008